【事件の表示】
　特願２００４−３６２８９３号「換気装置」拒絶査定不服審判事件〔平成１８年　６月２９日出願公開、特開２００６−１７０５１０号〕について、次のとおり審決する。
【結　論】
　本件審判の請求は、成り立たない。
【理　由】
第１．出願の経緯
　本願は、平成１６年１２月１５日の出願であって、平成２２年１月２５日付けで拒絶査定がなされ、これに対して平成２２年３月１９日に拒絶査定不服審判が請求され、さらに、当審より平成２３年４月２５日付けで拒絶理由通知がなされ、平成２３年６月１４日付けで手続補正がなされたものである。
　
第２．本願発明について
１．本願発明
　本願の特許請求の範囲の請求項１ないし２に係る発明は、平成２３年６月１４日付けで手続補正された特許請求の範囲の請求項１ないし２に記載される事項により特定されるとおりのものであるところ、その請求項１に係る発明（以下「本願発明」という）は次のとおりのものである。
　
 「【請求項１】
　羽根と前記羽根を駆動するモータとをそれぞれ有する複数の送風機と、　
　電源と複数の前記モータとの間に配される、機械的に一体的に接続された風量切替ユニットと、　
　を備え、　
　複数の前記モータのそれぞれは、強ノッチ及び弱ノッチを持ち、　
　前記風量切替ユニットは、　
　複数の前記モータを直列接続から並列接続に切替えるように開成し、複数の前記モータを並列接続から直列接続に切替えるように閉成する自己保持回路と、　
　複数の前記モータの強ノッチに接続された複数の常閉接点と複数の前記モータの弱ノッチに接続された複数の常開接点とを有する切替用リレーと、　
　前記電源と反対側で前記切替用リレーに接続された弱接点を有しており、前記自己保持回路の開成により複数の前記モータが並列接続に切替えられているときに前記切替用リレーを介して複数の前記モータの強ノッチ及び弱ノッチのいずれかを選択する強弱切替えスイッチと、　
　を有する　
　ことを特徴とする換気装置。」
　
２．引用刊行物とその記載事項　
　刊行物１：特開平６−２８８４号公報　
　刊行物２：特開２００４−１０４９５０号公報　
　刊行物３：実願昭５３−１６３０号（実開昭５４−１０５８３０号）のマイクロフィルム　
　
（１）刊行物１
　当審が通知した拒絶理由において引用され、本願出願前に頒布された刊行物１には、「換気エアコン」に関して図１及び図２と共に以下の記載がある。
　
ア．「【０００９】
【課題を解決するための手段】上記目的を達成するために本発明は、空気調和機の近傍に吸排気が可能な換気扇が設けられた換気エアコンにおいて、換気扇に用いられるファンの回転数と、空気調和機に用いられる室内ファンの回転数とを同期させて駆動する同期回路を設けたものである。」　
　
イ．「【００１６】図１は図２に示した換気エアコンに用いられる駆動回路及び同期回路周辺の一実施例のブロック図である。　
【００１７】同図において駆動回路は、換気扇３のファンモータ７及び室内機１のファンモータ８に接続され両ファンモータ７、８への電圧の印加を制御するリレー９〜１１と、リレー９〜１１を駆動するためのトランジスタＴｒ１〜Ｔｒ３と、トランジスタＴｒ１〜Ｔｒ３を制御するためのマイクロコンピュータ（以下マイコン）１２とで構成され、マイコン１２に接続され室内の温度を検出する熱交センサ１３に接続されている。
【００１８】マイコン１２には図示しないリモコンスイッチが接続され、操作者がオンオフ制御やタイマー制御、温度や風量等の設定を行うことができるようになっている。
【００１９】換気扇３は換気用のファンモータ７と、ファンモータ７を回転させるためのコンデンサ１４とを有している。　
【００２０】
ファンモータ７には、主巻線ＬＭ１と補助巻線ＬＡ１とを有するコンデンサ運転型の単相交流モータが用いられ、補助巻線ＬＡ１には２つの中間タップＴａ１、Ｔｂ１が設けられ、タップＴａ１，Ｔｂ２を切り替えることで例えば回転数を「強」，「中」，「弱」と切り替えることができる。
【００２１】ファンモータ８もファンモータ７と同様に主巻線ＬＭ２と補助巻線ＬＡ２とを有するコンデンサ運転型の単相交流モータが用いられ、補助巻線ＬＡ２には２つの中間タップＴａ２、Ｔｂ２が設けられ、タップＴａ２，Ｔａ２を切り替えることで例えば回転数を「強」，「中」，「弱」と切り替えることができる。
【００２２】
これら両ファンモータ７、８は並列に接続され同期回路を構成する。すなわち主巻線ＬＭ１、ＬＭ２、補助巻線ＬＡ１、ＬＡ２及び中間タップＴａ１、Ｔａ２、Ｔｂ１、Ｔｂ２同志しがそれぞれ接続され、リレー９〜１１に接続されている。従ってリレー９〜１１を切り替えることでファンモータ７，８の回転を「強」，「中」，「弱」の３段階に切り替えることができる
　
ウ．「【００２９】室内熱交換器４の温度が一定の温度に上昇した後、
リモコンスイッチの風量が「強」に設定されているときは、マイコン１２からトランジスタＴｒ
1 
のベースにのみ所定の電圧Ｖが印加され、リレー９のｃ接点のみａ側からｂ側に切り替わる。
【００３０】リレー９のｃ接点のみａ側からｂ側に切り替わることにより交流電源１６、リレー１１のｃ接点（ａ側）、リレー１０のｃ接点（ａ側）、リレー９のｃ接点（ｂ側）及びファンモータ７、８、交流電源１６の間が接続状態となる。すなわち、交流電源１６の電圧が、主巻線ＬＭ１、ＬＭ２の両端と、補助巻線ＬＡ１、コンデンサ１４間、補助巻線ＬＡ２、コンデンサ１５間に印加されるので、
両ファン７，８は同時に最大回転数で回転する。
リモコンスイッチの風量が「中」に設定されているときは、マイコン１２からトランジスタＴｒ
2 
のベースにのみ所定の電圧Ｖが印加され、リレー１０のｃ接点のみａ側からｂ側に切り替わる。
【００３２】リレー１０のｃ接点のみａ側からｂ側に切り替わることにより交流電源１６、リレー１１のｃ接点（ａ側）、リレー１０のｃ接点（ｂ側）、ファンモータ７（中間タップＴａ１）、ファンモータ８（中間タップＴａ２）、交流電源１６間が接続状態になる。すなわち、交流電源１６の電圧が、ファンモータ７の中間タップＴａ１と、接続点Ａ間との間に印加されると共に、中間タップＴａ２と、接続点Ｂ間との間に印加されるので
、両ファン７，８は同時に中間の回転数で回転する。
【００３３】同様にして
リモコンスイッチの風量が「弱」に設定されているときは、マイコン１２からトランジスタＴｒ
3
 のベースにのみ所定の電圧Ｖが印加され、リレー９のｃ接点がａ側からｂ側に切り替わる。
【００３４】リレー９のｃ接点がａ側からｂ側に切り替わることにより、交流電源１６、リレー９のｃ接点（ａ側）、ファンモータ７（中間タップＴｂ１）、ファンモータ８（中間タップＴｂ２）、交流電源１６の間が接続状態となる。すなわち、交流電源１６の電圧がファンモータ７の中間タップＴｂ１と、接続点Ａ間との間に印加されると共に、中間タップＴｂ２と、接続点Ｂ間との間に印加されるので、
両ファン７，８は同時に最小の回転数で回転する。
【００３５】従って、空気調和機２の室内側のファンの回転数が高いときには同期回路が換気扇の回転数を高くし、空気調和機２の室内側のファンの回転数が低いときには換気扇３の回転数を低くするようになっており、空気調和機２の風量変化に追従して換気扇３の風量が変化する。」　
　
エ．図１、及び上記イ．、ウ．の記載からみて、各タップが接続されているリレー９〜１１のｂ側接点は常開接点であると認められる。
　
　以上のア．〜エ．の記載、及び図面の記載を総合すると、刊行物１には、次の発明（以下「引用発明」という）が記載されている。
　
「換気扇３のファンを駆動するファンモータ７及び室内機１の室内ファンを駆動するファンモータ８と、両ファンモータ７，８への電圧印加を制御するリレー９〜１１とを備え、それらファンモータ７，８の回転数を「強」，「中」，「弱」と切り替えるための構成であって、ファンモータ７は、補助巻線ＬＡ１と、補助巻線ＬＡ１に設けられた中間タップＴａ１、中間タップＴｂ１とを有し、ファンモータ８は、補助巻線ＬＡ２と、補助巻線ＬＡ２に設けられた中間タップＴａ２、中間タップＴｂ２とを有するものであって、補助巻線ＬＡ１と補助巻線ＬＡ２同士が接続され、それらが接続されたリレー９の常開接点ｂのみが切り替わることにより、リレー１１の常閉接点ａ、リレー１０の常閉接点ａ、及び、リレー９の常開接点ｂとを介して、補助巻線ＬＡ１，ＬＡ２に電流が流れることによりファンモータ７，８の回転数が「強」となり、中間タップＴａ１と中間タップＴａ２同士が接続され、それらが接続されたリレー１０の常開接点ｂのみが切り替わることによりファンモータ７，８の回転数が「中」となり、
中間タップＴｂ１と中間タップＴｂ２同士が接続され、それらが接続されたリレー１１の常開接点ｂのみが切り替わることによりファンモータ７、８の回転数が「弱」となるように、マイクロコンピュータ１２とトランジスタＴｒ１〜Ｔｒ３を介してリレー９〜１１のいずれかのみの常開接点ｂを切替えるためのリモコンスイッチとを有する換気エアコン。」
　
（２）刊行物２
　同じく引用され、本願出願前に頒布された刊行物２には、「ファンモータの制御装置」に関して図１及び図２と共に以下の記載がある。
　
オ．「【０００４】
直並列制御は、複数台のファンモータを直列接続と並列接続との間で切替えた場合に、並列接続の場合は直列接続の場合に比べて印加電圧が大きくなることを利用して回転数の制御を行うものである（例えば非特許文献１参照）。図２は２つのファンモータ１，２の回転数を直並列制御により制御する例を示すものである。
【０００５】
図２において、ファンモータ１は、端子Ａ１、Ｂ１を備えており、端子Ａ１にはリレー１２及びヒューズｈ１を介して電源電圧Ｖが供給される。リレー１２は、モータ１への電源電圧Ｖの供給を切替えるためのものである。一方、
ファンモータ２は、タップ切替え式のファンモータであり、リレー１３によりタップがＢ２−Ｄ２とＡ２−Ｃ２との間で切り替わるようにされている。リレー１３がＯＮの場合には、低速側のタップＢ２，Ｄ２が接続され、一方、リレー１３がＯＦＦの場合には、高速側のタップＡ２−Ｃ２が接続される。
【０００６】
ファンモータ１の端子Ｂ１と、ファンモータ２の端子Ａ２とは、リレー１１を介して接続される。リレー１１は、ヒューズｈ２を介して電源電圧Ｖが供給される端子Ａ１１（ＯＮ）と端子Ｂ１に接続される端子Ｂ１１（ＯＦＦ）との間をスイッチングするように構成されている。一方、モータ１の端子Ｂ１には、このリレー１１と連動するリレー１４が接続されている。すなわち、リレー１１がＡ１１（ＯＮ）側に切り替わる場合は、リレー１４はこれに連動してＯＮとされ、リレー１１がＢ１１（ＯＦＦ）側に切り替わる場合は、リレー１４はこれに連動してＯＦＦとされる。端子Ｂ１は、このリレー１４がＯＮとされた場合に接地されるようにされている。
【０００７】
この構成による動作を、図２（ｂ）に示す。リレー１１〜１４がすべてＯＦＦとされている場合には、いずれのファンモータ１，２にも電圧は印加されず、両ファンモータ１，２は停止したままである。
リレー１２のみがＯＮとされる場合には、ファンモータ１，２は直列接続の関係となるので、両ファンモータ１，２に印加される電圧は、両ファンモータ１，２が同じ定格であれば半分のＶ／２ずつとなり、両ファンモータ１，２の回転は低速となる。
【０００８】
リレー１１，１２，１４がＯＮとされ、リレー１３のみがＯＦＦとされる場合には、両ファンモータ１，２は並列接続の関係となるので、両ファンモータ１，２にはそれぞれ電源電圧Ｖが印加される。ただし、リレー１３がＯＦＦとされるので、ファンモータ１のみが高速で回転し、ファンモータ２はファンモータ１よりやや遅い中程度の速度（中速）で回転する。
リレー１１〜１４がすべてＯＮとされる場合には、両ファンモータ１，２とも高速で回転する。
　
　なお、オ．【０００５】の記載において、「リレー１３がＯＮの場合には、低速側のタップＢ２，Ｄ２が接続され、一方、リレー１３がＯＦＦの場合には、高速側のタップＡ２−Ｃ２が接続される」ものであり、この記載と技術常識からみると、図２（ｂ）の表の三段目及び四段目のリレー１３の動作は、ＯＦＦとＯＮとが逆であるといえるので、
ファンモータ１，２が並列接続された場合に、リレー１３がオンの場合、低速側のタップＢ２，Ｄ２が接続されてファンモータ２は中速回転し、リレー１３がオフの場合は、高速側のタップＡ２，Ｃ２が接続されてファンモータ２は高速回転するものである。　
　
  以上のオ．の記載、及び図２（ａ），（ｂ）の記載とを総合すると、刊行物２には、次の発明（以下「刊行物２記載の発明」という）が記載されている。
　
「複数台のファンモータ１，２をリレー１２のみがオンする直列接続とリレー１１，１２，１４がオンする並列接続との間で切替えるものであって、リレー１２のみがオンする直列接続時には、両ファンモータ１，２は低速回転し、ファンモータ２はタップ切替え式のファンモータであり、前記リレー１１，１２，１４がオンする並列接続時に、リレー１３がオフ時にはファンモータ２の高速側のタップＡ２，Ｃ２が接続されて両ファンモータ１，２は高速回転し、リレー１３がオン時にはファンモータ２の低速側のタップＢ２，Ｄ２が接続されて、ファンモータ１は高速回転し、ファンモータ２は中速回転するファンモータ１，２の制御装置。」
　
（３）刊行物３
　同じく引用され、本願出願前に頒布された刊行物３には、「フアンモータ制御回路」に関して図１及び図２と共に以下の記載がある。
　
カ．「この考案は
複数個のフアンモータが設けられた空気調和機などに使用されるフアンモータ制御回路に関するもので、送風の強さを強風、弱風の２段階に切換える場合、その切換えスイツチを設けこの切換スイツチを強風側から弱風側に切換え設定することにより、電源に対し並列接続されていた複数台のフアンモータの任意の台数を直列に接続して、モータの回転速度を落とす様にし、これにより構成の簡素化を計るとともに動作の信頼性向上を計る様にしたフアンモータ制御回路を提供することを目的とする
　以下この考案の一実施例を図面を参照して説明する。図において、１１は交流電源、１２は第１のフアンモータ、１３は第２のフアンモータ、１４は強弱切換スイツチ、１５はリレーコイル、１５Ｓ１ はリレ−コイル１５の切換接点、１５Ｓ２はリレーコイル１５の開閉接点である。上記切換接点１５Ｓ１ はリレーコイル１５が励磁されていないときは端子ａ−ｃ間が接続されており、励磁されると、端子ｂ−ｃ間が接続される様になつている。また、開閉接点１５Ｓ２ は常閉接点であり、リレーコイル１５が励磁されたとき開く様になつている。そして、上記リレ−コイル１５は強弱切換スイツチ１４が閉じられることにより電圧が印加される様になつている。また第１、第２のフアンモータ１２, １３はそれぞれ電源１１に並列に接続され、第１のフアンモータ１２と電源１１との間には切換接点１５Ｓ１の端子ａ−ｃが介在され、第２のフアンモータ１３と電源１１との間には開閉接点１５Ｓ２が介在されている。そしてこの第２フアンモータ１３と開閉接点１５Ｓ２との接続点ｐは切換接点１５Ｓ１ の端子ｂに接続されている。
　この様な構成において、
例えば送風状態を「強風」としたい場合には、強弱切換スイツチ１４をオフさせれば良く、また送風状態を「弱風」としたい場合には強風切換スイツチ１４をオンさせれば良い。すなわち、強弱切換スイツチ１４をオフさせれば、リレーコイル１５は通電されないので、切換接点１５Ｓ
１
 は第１図に示す様に端子ａ側にあり、開閉接点１５Ｓ
２
 は閉成している。従つて、第１、第２のフアンモータ１２, １３は共に回転し、強風運転となる。
　一方、強風切換スイツチ１４をオンさせると、リレーコイル１５が通電されて励磁されるため、切換接点１５Ｓ
１
 は端子ｂ側に切換わるとともに開閉接点１５Ｓ
２
 が開く。この状態を第２図に示す。従つて、第１、第２のフアンモータ１２, １３は直列に接続された状態となり、それぞれのフアンモータ１２, １３には上記並列接続の場合に比べて１／２の電源電圧が印加される。これにより、回転数も減少し弱風運転となるものである。
　
キ．第１図には、強弱切替えスイッチ１４は、電源１１とリレーコイル１５との間に設けられていることが示されている。
　
 以上のカ．、キ．の記載、及び第１図、第２図の記載とを総合すると、刊行物３には、次の発明（以下「刊行物３記載の発明」という）が記載されている。
　
「複数個のフアンモータが設けられた空気調和機の第１のフアンモータ１２と第２のフアンモータ１３は、電源１１とリレーコイル１５との間に設けられた強弱切替スイッチ１４を有し、強弱切換スイッチ１４のオフによりリレーコイル１５が励磁されない状態のとき、第１のフアンモータ１２と第２のフアンモータ１３は、電源１１に並列に接続されて送風状態が強風となり、前記強弱切換スイッチ１４のオンによりリレーコイル１５が励磁される状態のときには、第１のフアンモータ１２と第２のフアンモータ１３は、電源１１に直列に接続されて送風状態が弱風となるファンモータ制御回路。」
　
３．発明の対比
　本願発明と、引用発明とを対比すると、引用発明の「換気扇３のファンを駆動するファンモータ７及び室内機１の室内ファンを駆動するファンモータ８」は、技術常識からファンとは羽根であるから、本願発明の「羽根と前記羽根を駆動するモータ」に相当し、引用発明の「換気扇３のファン」と「ファンモータ７」及び、「室内機１の室内ファン」と「ファンモータ８」は、本願発明の「複数の送風機」に相当し、引用発明の「ファンモータ７，８の回転数を「強」，「中」，「弱」と切り替えるための構成であって、ファンモータ７は、補助巻線ＬＡ１と、補助巻線ＬＡ１に設けられた中間タップＴａ１、中間タップＴｂ１とを有し、ファンモータ８は、補助巻線ＬＡ２と、補助巻線ＬＡ２に設けられた中間タップＴａ２、中間タップＴｂ２とを有する」ことは、ファンモータ７，８の回転数を「強」，「弱」にすることに着目すれば、「ファンモータ７，８の回転数を「強」，「弱」と切り替えるための構成であって、ファンモータ７は、補助巻線ＬＡ１と、補助巻線ＬＡ１に設けられた中間タップＴｂ１とを有し、ファンモータ８は、補助巻線ＬＡ２と、補助巻線ＬＡ２に設けられた中間タップＴｂ２とを有する」ことであるから、本願発明の「複数のモータのそれぞれは、強ノッチ及び弱ノッチを持」つことに実質的に相当し、引用発明の「リレー９〜１１」は、補助巻線ＬＡ１、ＬＡ２、補助巻線ＬＡ１のタップＴａ１、Ｔｂ１、補助巻線ＬＡ２のタップＴａ２、Ｔｂ２に接続され、それらを切り替えるためのものであるから、本願発明の「切替用リレー」に相当する。　
　そして、引用発明において、ファンモータ７，８の「補助巻線ＬＡ１と補助巻線ＬＡ２同士が接続され」、「中間タップＴａ１と中間タップＴａ２同士が接続され」及び、「中間タップＴｂ１と中間タップＴｂ２同士が接続され」ることは、刊行物１の図１を併せみると、本願発明の「複数のモータが並列接続」されることに相当する。　
　さらに、引用発明は「並列に接続されたファンモータ７、８の回転数を「強」，「中」，「弱」と切替えるための構成」を備えるものであるから、本願発明の「風量切替ユニット」とは、「風量切替のための制御装置」を備える点で共通する。　
　さらに、引用発明の「リモコンスイッチ」と、本願発明の「強弱切替えスイッチ」とは、両者とも風量を切替えるためのものであるから、「風量切替のためのスイッチ」である点で共通する。　
　
　したがって、両者の一致点及び相違点は以下のとおりである。
　
［一致点］
　羽根と前記羽根を駆動するモータとをそれぞれ有する複数の送風機と、
風量切替のための制御装置とを備え、
　複数のモータのそれぞれは、強ノッチ及び弱ノッチを持ち、
前記風量切替のための制御装置は、
　複数のモータの強ノッチと弱ノッチに接続された切替用リレーと、
　複数のモータが並列接続であって、切替用リレーを介して複数のモータの強ノッチ及び弱ノッチのいずれかを選択する風量切替のためのスイッチとを有する装置。
　
［相違点１］
　風量切替のための制御装置に関して、本願発明において、「電源と複数の前記モータとの間に配される、機械的に一体的に接続された風量切換ユニット」を備えたのに対して、引用発明においては、それが具体的にどのような形で設けられたのか不明な点。　
　
［相違点２]
　本願発明において、「複数の前記モータを直列接続から並列接続に切替えるように開成し、複数の前記モータを並列接続から直列接続に切替えるように閉成する自己保持回路」を設けたものであるのに対し、引用発明は、そのような自己保持回路を設けていない点。
　
［相違点３]
　本願発明においては、「複数の前記モータの強ノッチに接続された複数の常閉接点と複数の前記モータの弱ノッチに接続された複数の常開接点とを有する切替用リレー」を備えるものであるのに対し、引用発明においては、ファンモータ７、８のそれぞれは、補助巻線ＬＡ１、ＬＡ２、中間タップＴｂ１、Ｔｂ２とを有し、それらが接続されている常開接点ｂを有するリレー９、１１を備える点。　
　
［相違点４］
　風量切替のためのスイッチが、本願発明においては、「電源と反対側で前記切替用リレーに接続された弱接点を有しており、前記自己保持回路の開成により複数の前記モータが並列接続に切替えられているときに前記切替用リレーを介して複数の前記モータの強ノッチ及び弱ノッチのいずれかを選択する強弱切替えスイッチ」であるのに対し、引用発明においては、補助コイルとタップが並列接続されている常開接点ｂを有するリレー９、１１と、リレー９、１１のいずれかのみの常開接点ｂを、マイクロコンピュータ１２とトランジスタＴｒ１、Ｔｒ３を介して切替えるためのリモコンスイッチである点。
　
［相違点５］
　本願発明が、複数の送風機を有する「換気装置」であるのに対し、引用発明が、換気扇３のファンモータ７及び室内機１のファンモータ８を有する「換気エアコン」である点。
　
４．当審の判断
　
［相違点１について］
　複数のモータを備えた換気装置において、複数のモータの制御装置を機械的に一体的なものとすることは、周知の技術的事項（特開２００３−４２７７号公報　図１、【００１５】の記載や、実願昭６３−１１７６６３号（実開平２−３８０３３号）のマイクロフィルム　第１図〜第１０図の制御箱１１を参照。）であって、モータの制御にあたって、制御装置を電源とモータとの間に設けることも通常行われることであるから、引用発明において風量切替のための制御装置を、機械的に一体的に接続されたものとし、電源と複数のモータとの間に配することにより、上記相違点１に係る発明特定事項とすることは、当業者であれば容易になし得たことである。
　
［相違点２について］
　刊行物２記載の発明は、複数台のファンモータ１、２を直列接続と並列接続との間で切替えることによりファンモータ１、２の回転を高速回転、低速回転に制御するとともに、該並列接続時に、ファンモータ２の回転速度をタップの切替えにより高速、中速回転に制御するものである。　
　そうすると、引用発明の並列接続されたファンモータ７，８のタップに接続されたリレー接点の切替えによるファンの回転数の制御に加えて、刊行物２記載の発明に倣って、ファンモータ７，８を直列接続ともなるように切替えることによって回転数制御を行うようなすことは、当業者にとって格別の困難性を要することではない。しかも、刊行物３記載の発明は、リレーコイル１５を励磁し、あるいは励磁しないことにより空気調和機の複数のファンモータの直列接続、並列接続を切替えるための強弱切替スイッチ１４を備えたものであるから、空調機において複数のモータを直並列制御することは当業者が通常なし得たことでもある。　
　また、引用発明のリレーも、マイクロコンピュータによりその動作時に、その状態を保持するものであることは、当業者にとって自明であり、直並列接続を切替える刊行物２記載の発明や刊行物３記載の発明のリレーにおいても、その動作時にその状態を保持するものであって、刊行物３記載の発明は、強弱切換スイッチ１４により、リレーコイル１５の動作状態を保持しているといえる。一方、機器を動作するスイッチを、モーメンタリスイッチやタッチスイッチとし、自己保持回路によりその動作状態を保持させることは、機器の操作手段として周知のものであって、このようなスイッチを用いた自己保持回路によって、直並列の切換動作を行うことも当業者にとって格別の困難性を要することではない。さらに、自己保持回路の開成時に並列接続、閉成時に直列接続となるようにしたことは、単に、自己保持回路の閉成、開成を、それぞれ並列接続、直列接続のどちらに割り当てるかという当業者が適宜なし得る選択的事項に過ぎない。　
　したがって、引用発明に、刊行物２記載の発明、刊行物３記載の発明、及び、上記周知の技術的事項を適用することにより、上記相違点２に係る発明特定事項とすることは、当業者であれば容易になし得たことである。
　
［相違点３について］
　引用発明において、リレー９及び１１のいずれかのみの常開接点ｂを切り替えることにより、ファンモータ７，８の回転数を「強」及び「弱」としており、どちらのリレー９、１１も切替えずにＯＦＦとなっているときはファンモータ７、８が停止するものである。すなわち、「強」、「弱」、及び「停止」からの択一的選択を行うものであるが、一方、電源スイッチや運転開始スイッチ等とは別に、強弱の選択専用のリレーやスイッチを設けることは、刊行物３記載の発明に専ら強弱切換を行うためのスイッチ及びリレーが示されているように、通常行われる回路構成であるといえる。そうすると、複数のタップや巻線にそれぞれ「強」、「弱」、及び「停止」からの択一的選択を行うのためのリレーを設けることに代えて、強弱の選択のみ行うスイッチやリレーを設けることは、当業者が格別の困難性を要することなくなし得たものといえ、その初期状態を「強」となるように、常閉接点に補助巻線ＬＡ１、ＬＡ２を接続し、「弱」とする場合に、常開接点に中間タップＴｂ１、Ｔｂ２を接続すること、その際、直列並列の切替えにも対応可能とする等の目的で、ファンモータ７、８の各々に前記常閉接点と常開接点を設けることにより複数のものとすることは、当業者であれば適宜なし得たことであるから、引用発明に、刊行物３記載の発明を適用することにより、上記相違点３に係る発明特定事項とすることは、当業者であれば容易になし得たことである。
　
［相違点４について］
　上記［相違点３について］で述べたように、並列接続された複数のモータのタップの切替えを、強弱の選択専用のリレーやスイッチによって行うことは当業者にとって容易になし得たことであって、刊行物３に記載された発明は、強弱の選択専用のリレーをスイッチにより動作させて「弱」とするものである。そうすると、上記スイッチは、電源と切替用リレーに接続された弱接点を有する強弱切替えスイッチというものであって、そのように構成することに格別な困難性はないし、その際、上記弱接点を、電源と反対側に設置する程度のことも当業者であれば容易になし得たことである。
　一方、上記［相違点２について］で述べたように、自己保持回路を用いたモータの並列接続切替時に、タップにより強弱を切替えることも当業者にとって容易であり、そのようになされるとき、強弱切替えスイッチによって切替用リレーによりモータのタップを切替えるのも、自己保持回路により並列接続に切替えられているときである。
　よって、引用発明において刊行物２記載の発明及び刊行物３記載の発明を適用し、上記相違点４に係る発明特定事項とすることは、当業者であれば容易になし得たことである。　
　
［相違点５について］
　複数の送風機を有する換気装置については、特開２００３−４２７７号公報または実願昭６３−１１７６６３号（実開平２−３８０３３号）のマイクロフィルムをみれば周知のものであり、刊行物３記載の発明には、複数個のフアンモータが設けられた空気調和機の第１のフアンモータ１２と第２のフアンモータ１３の送風状態を制御するファンモータ制御回路が示されているから、引用発明のファンモータ７，８を、周知の複数の送風機を有する換気装置に適用して、ファンモータ７，８を制御するファンモータ制御回路を併せて設けることは、当業者であれば容易になし得たものである。
　
　そして、本願発明によって得られる効果も、引用発明、刊行物２、３記載の発明及び周知の技術的事項から当業者であれば予測できる程度のものであって、格別なものとはいえない。
　
　したがって、本願発明は、引用発明、刊行物２、３記載の発明及び周知の技術的事項に基づいて当業者が容易に発明をすることができたものである。
　
５．結び
　以上のとおり、本願発明は、引用発明、刊行物２、３記載の発明に基づいて当業者が容易に発明をすることができたものであるから、特許法第２９条第２項の規定により特許を受けることができない。
　したがって、他の請求項について検討するまでもなく、拒絶すべきものである。
　
　よって、結論のとおり審決する。